(57)【要約】【課題】バッテリレスの機器であっても、盗難防止装置を取り付けることができ、よって機器を盗難から防止するようにした機器の盗難防止装置を提供する。【解決手段】リコイルスタータの操作に応じて動作電源を供給する発電コイル６６を備えた汎用の内燃機関（エンジン）が搭載された作業機などの機器（芝刈り機）１０の盗難防止装置７６において、操作者に携行自在な、認証用のデータを記憶する電子キー８０と、芝刈り機１０に設けられ、電子キー８０から認証用のデータが出力されるとき、予め記憶された照合用のデータを用いて電子キー８０が正規のキーか否か認証する認証ＥＣＵ（認証手段）８４とを備えると共に、認証ＥＣＵ８４は、リコイルスタータが操作者によって操作されて発電コイル６６から動作電源が供給されるとき、認証を実行する。【選択図】図４
2010017129.tif 000002
【特許請求の範囲】
【請求項１】
リコイルスタータの操作に応じて動作電源を供給する発電手段を備えた汎用の内燃機関が搭載された移動体または作業機からなる機器の盗難防止装置において、操作者に携行自在な、認証用のデータを記憶する電子キーと、前記機器に設けられ、前記電子キーから前記認証用のデータが出力されるとき、予め記憶された照合用のデータを用いて前記電子キーが正規のキーか否か認証する認証手段とを備えると共に、前記認証手段は、前記リコイルスタータが前記操作者によって操作されて前記発電手段から前記動作電源が供給されるとき、前記認証を実行することを特徴とする機器の盗難防止装置。
【請求項２】
前記認証手段は、前記電子キーが正規のキーと認証されないとき、前記内燃機関の運転を停止させることを特徴とする請求項１記載の機器の盗難防止装置。
【請求項３】
前記発電手段は、前記リコイルスタータが操作されるとき、前記動作電源として、前記内燃機関の始動に必要な電力と前記認証手段の動作に必要な電力を出力することを特徴とする請求項１または２記載の機器の盗難防止装置。
【請求項４】
前記認証手段はマイクロコンピュータを備えた電子制御ユニットからなると共に、前記電子制御ユニットは、前記動作電源を供給されるとき、前記マイクロコンピュータのイニシャルチェックのみ実行して前記認証を実行することを特徴とする請求項１から３のいずれかに記載の機器の盗難防止装置。
【発明の詳細な説明】
【技術分野】
【０００１】
この発明は機器の盗難防止装置に関し、より詳しくは、リコイルスタータの操作に応じて動作電源を供給する発電手段を備えた汎用の内燃機関が搭載された移動体または作業機からなる機器の盗難防止装置に関する。
【背景技術】
【０００２】
従来より、内燃機関が搭載された車両（移動体。例えば四輪自動車など）を電子キーを用いて盗難から防止する装置は種々提案されており、その例として下記の特許文献１記載の技術を挙げることができる。特許文献１記載の技術にあっては、車両に取り付けられた盗難防止装置を電子キーで起動させ、車両の傾斜を感知して盗難状態と判断されるとき、ホーンを鳴動させると共に、イグニッション回路への動作電源の供給を遮断するように構成される。尚、この盗難防止装置は、車両に搭載されたバッテリから動作電源が供給される。
【特許文献１】特開平１０−１６７１４号公報（段落００１６，００４７、図２など）
【発明の開示】
【発明が解決しようとする課題】
【０００３】
ところで、上記した移動体または作業機（例えば芝刈り機など）からなる機器においては、リコイルスタータの操作に応じて動作電源を供給する発電手段（具体的には発電コイル）を備えた汎用の内燃機関が搭載されるタイプ、即ち、バッテリを備えない、いわゆるバッテリレスのタイプのものがある。そのようなバッテリレスの機器の場合、上記したようなバッテリから動作電源が供給される盗難防止装置を取り付けることはできない。また、機器に盗難防止装置用のバッテリを新たに追加することも考えられるが、その場合、装置の大型化やコストアップを招くという不具合が生じる。
【０００４】
従って、この発明の目的は上記した課題を解決し、バッテリレスの機器であっても、盗難防止装置を取り付けることができ、よって機器を盗難から防止するようにした機器の盗難防止装置を提供することにある。
【課題を解決するための手段】
【０００５】
上記した課題を解決するために、請求項１にあっては、リコイルスタータの操作に応じて動作電源を供給する発電手段を備えた汎用の内燃機関が搭載された移動体または作業機からなる機器の盗難防止装置において、操作者に携行自在な、認証用のデータを記憶する電子キーと、前記機器に設けられ、前記電子キーから前記認証用のデータが出力されるとき、予め記憶された照合用のデータを用いて前記電子キーが正規のキーか否か認証する認証手段とを備えると共に、前記認証手段は、前記リコイルスタータが前記操作者によって操作されて前記発電手段から前記動作電源が供給されるとき、前記認証を実行する如く構成した。
【０００６】
請求項２に係る機器の盗難防止装置にあっては、前記認証手段は、前記電子キーが正規のキーと認証されないとき、前記内燃機関の運転を停止させる如く構成した。
【０００７】
請求項３に係る機器の盗難防止装置にあっては、前記発電手段は、前記リコイルスタータが操作されるとき、前記動作電源として、前記内燃機関の始動に必要な電力と前記認証手段の動作に必要な電力を出力する如く構成した。
【０００８】
請求項４に係る機器の盗難防止装置にあっては、前記認証手段はマイクロコンピュータを備えた電子制御ユニットからなると共に、前記電子制御ユニットは、前記動作電源を供給されるとき、前記マイクロコンピュータのイニシャルチェックのみ実行して前記認証を実行する如く構成した。
【発明の効果】
【０００９】
請求項１にあっては、リコイルスタータの操作に応じて動作電源を供給する発電手段を備えた汎用の内燃機関が搭載された移動体または作業機からなる機器の盗難防止装置において、電子キーと、照合用のデータを用いて電子キーが正規のキーか否か認証する認証手段とを備えると共に、認証手段は、リコイルスタータが操作されて発電手段から動作電源が供給されるとき、認証を実行するように構成、即ち、バッテリからの動作電源ではなく、リコイルスタータの操作によって発電手段で生じた動作電源が供給されて認証を実行するように構成したので、バッテリレスの機器であっても認証手段を動作させることができ（取り付けることができ）、よって機器を盗難から防止することができる。
【００１０】
請求項２に係る機器の盗難防止装置にあっては、認証手段は、電子キーが正規のキーと認証されないとき、内燃機関の運転を停止させるように構成、即ち、内燃機関はリコイルスタータの操作によって一旦始動されるものの、電子キーが正規のキーと認証されないときは直ちに停止されるように構成したので、上記した効果に加え、機器の盗難を確実に防止することができる。
【００１１】
請求項３に係る機器の盗難防止装置にあっては、発電手段は、リコイルスタータが操作されるとき、動作電源として、内燃機関の始動に必要な電力と認証手段の動作に必要な電力を出力するように構成したので、上記した効果に加え、内燃機関の始動と認証手段の動作に必要な電力（動作電源）を確保でき、認証手段を確実に動作させることができる。
【００１２】
請求項４に係る機器の盗難防止装置にあっては、認証手段はマイクロコンピュータを備えた電子制御ユニットからなると共に、電子制御ユニットは、動作電源を供給されるとき、マイクロコンピュータのイニシャルチェックのみ実行して認証を実行するように構成、逆に言えば、認証に必要のないマイクロコンピュータのイニシャルチェックは行わないようにしたので、上記した効果に加え、認証を実行するマイクロコンピュータにおける処理時間を短縮でき、よって限られた動作電源供給時間内で認証を実行することができる。
【発明を実施するための最良の形態】
【００１３】
以下、添付図面に即してこの発明に係る機器の盗難防止装置を実施するための最良の形態について説明する。
【実施例】
【００１４】
図１は、この発明の実施例に係る機器の盗難防止装置を全体的に示す全体図であり、芝刈り機に搭載された状態を示す。図１はその芝刈り機の側面図、図２は平面図である。
【００１５】
図１および図２において、符号１０は芝刈り機（作業機。機器）を示す。芝刈り機１０は、２個の前輪１２Ｆと２個の後輪１２Ｒの計４個の車輪と、ハンドルバー１４とを備えた非乗車型の自走式芝刈り機である。４個の車輪１２Ｆ，１２Ｒで支持されたフレーム上において、エンジンカバー１６の内部には、汎用の内燃機関（以下「エンジン」という）１８が収容される。エンジン１８は、操作者（作業者）Ｐ（図１にのみ示す）によって手動操作自在なリコイルスタータ２０を備える。
【００１６】
図１に示すように、エンジン１８のクランク軸２２は、ベルト２４を介して後輪駆動軸２６に接続される。後輪駆動軸２６は、ギヤ機構２８を介して後輪１２Ｒに接続される。また、後輪駆動軸２６の途中には、後輪用電磁クラッチ３０が配置され、後輪１２Ｒへのエンジン出力の伝達を断接する。
【００１７】
クランク軸２２の先端には、芝刈り用のブレード３２が取り付けられる。また、クランク軸２２においてブレード３２とベルト２４の間には、ブレード用電磁クラッチ３４が配置され、ブレード３２へのエンジン出力の伝達を断接する。芝刈り機１０の後部には、グラスバック３６が搭載され、ブレード３２で刈り取られた芝が収集される。
【００１８】
ハンドルバー１４の先端付近には、走行レバー３８と、走行レバー３８が操作者Ｐによって芝刈り機１０の進行方向前方に傾倒されているときにオン信号を出力する走行スイッチ４０が配置される。また、走行レバー３８にはブレードスイッチ４２が配置される。ブレードスイッチ４２は、操作者Ｐによって一度押されたときにオン信号を出力し、再度押されたときにオン信号の出力を終了する。
【００１９】
図３は、図１に示すエンジン１８を拡大して示す拡大断面図である。
【００２０】
エンジン１８は１個の気筒（シリンダ）４６を備え、その内部にピストン４８が往復動自在に収容される。エンジン１８の燃焼室５０を臨む位置には吸気バルブ５２と排気バルブ５４が配置され、燃焼室５０と吸気路５６あるいは排気路５８の間を開閉する。エンジン１８は、具体的には空冷４サイクルの単気筒ＯＨＶ型エンジンで、例えば１６３ｃｃの排気量を備える。
【００２１】
ピストン４８はクランク軸２２に連結される。また、クランク軸２２の一端にはフライホイール６０が取り付けられると共に、フライホイール６０の先端側には前記したリコイルスタータ２０が取り付けられる。尚、クランク軸２２の他端には、図示は省略するが、前述したブレード用電磁クラッチ３４を介してブレード３２が取り付けられる。
【００２２】
フライホイール６０の内側には複数個の永久磁石６２が固定されると共に、クランクケース６４側には永久磁石６２に対向するように発電コイル（オルタネータ。発電手段）６６が取り付けられる。発電コイル６６は、リコイルスタータ２０の操作やピストン４８の往復運動に応じてクランク軸２２が回転させられるとき、その回転に同期した出力（交流電流）を生じる。
【００２３】
発電コイル６６で発電された交流電流は、図示しない処理回路を介して直流電流に変換された後、後述する制御ＥＣＵや認証ＥＣＵ、点火回路（図示せず）などに動作電源として供給される。そのため、発電コイル６６は、リコイルスタータ２０が操作されるとき、動作電源として、エンジン１８の始動に必要な電力と認証ＥＣＵなどの動作に必要な電力を合わせた電力を出力（発電）するように構成される。尚、エンジン１８は、リコイルスタータ２０によって始動させられるため、バッテリを備えない、即ち、バッテリレスタイプの汎用の内燃機関である。
【００２４】
また、吸気路５６にはスロットルボディ６８が配置される。スロットルボディ６８には、スロットルバルブ７０と、スロットルバルブ７０を駆動する電動モータ７２が収容される。スロットルバルブ７０の上流側には、キャブレタアセンブリ（図示せず）が設けられ、燃料タンク（図１，２に符号７４で示す）から供給されるガソリン燃料を噴射して混合気を生成する。生成された混合気は、スロットルバルブ７０、吸気路５６および吸気バルブ５２を通って燃焼室５０に吸入される。
【００２５】
図４は、上記したエンジン１８が搭載された芝刈り機１０の盗難防止装置の構成を示すブロック図である。
【００２６】
図４において、符号７６は盗難防止装置を示す。盗難防止装置７６は、認証用のデータ（後述）を記憶する電子キー８０と、芝刈り機１０に設けられてエンジン１８などの動作を制御する制御ＥＣＵ（電子制御ユニット）８２と、芝刈り機１０に設けられて電子キー８０の認証を行う認証ＥＣＵ（電子制御ユニット。認証手段）８４とを備える。尚、制御ＥＣＵ８２と認証ＥＣＵ８４は共に、図１，２に示す如く、芝刈り機１０の適宜位置、具体的には、エンジンカバー１６の内部であってリコイルスタータ２０の近傍に配置される。
【００２７】
制御ＥＣＵ８２は、ＣＰＵ８２ａ、メモリ（具体的には不揮発性メモリからなるＥＥＰＲＯＭ）８２ｂなどを備えたマイクロコンピュータからなる。制御ＥＣＵ８２には、走行スイッチ４０を介して操作者Ｐからの走行指示（オン信号）が入力されると共に、ブレードスイッチ４２を介して操作者Ｐからのブレード駆動指示（オン信号）が入力される。制御ＥＣＵ８２は、操作者Ｐから走行指示が入力されると、後輪用電磁クラッチ３０を結合させてエンジン１８の回転出力を後輪１２Ｒに伝達させ、よって芝刈り機１０を自走させる。また、制御ＥＣＵ８２は、操作者Ｐからブレード駆動指示が入力されると、ブレード用電磁クラッチ３４を結合させてエンジン１８の回転出力をブレード３２に伝達させ、ブレード３２を回転させる（芝刈り可能とする）。
【００２８】
尚、制御ＥＣＵ８２には、図示しないスロットル開度センサやクランク角センサなどの出力が入力される。制御ＥＣＵ８２は、入力された出力に基づいてスロットルバルブ７０の電動モータ７２を駆動させてエンジン１８の回転数Ｎｅを制御する（例えば、回転数Ｎｅが所定の回転数に維持される）ように構成されるが、その制御は本願と直接の関連を有しないため、説明を省略する。
【００２９】
認証ＥＣＵ８４は、制御ＥＣＵ８２と同様、ＣＰＵ８４ａ、照合用のデータ（後述）を記憶するメモリ（具体的には不揮発性メモリからなるＥＥＰＲＯＭ）８４ｂなどを備えたマイクロコンピュータからなる。認証ＥＣＵ８４はさらに、電子キー８０に記憶された認証用のデータの読み込みなどを行うリーダ／ライタ（読み込み／書き込み装置）８４ｃと、電子キー８０の認証の結果（適否）を操作者Ｐに報知するＬＥＤ（発光ダイオード。報知ランプ）８４ｄとを備える。
【００３０】
上記の如く構成された認証ＥＣＵ８４は、制御ＥＣＵ８２にシリアル通信ライン８６を介して通信自在に接続される。また、制御ＥＣＵ８２と認証ＥＣＵ８４には、前記した発電コイル６６が電力線９０を介して接続され、発電コイル６６で生じた動作電源が供給される。
【００３１】
電子キー８０は、ＣＰＵ８０ａと、認証用のデータ（具体的には、電子キー８０を携行している操作者Ｐを識別する識別情報（ユーザＩＤ）や芝刈り機１０の機種などを識別する識別情報（製品ＩＤ））を記憶する不揮発性のメモリ８０ｂと、認証用のデータなどを近距離無線通信（ＲＦＩＤ（Radio Frequency Identification））でリーダ／ライタ８４ｃと送受信（入出力）するアンテナ８０ｃとを備えたＩＣカードからなる。電子キー８０であるＩＣカードは、樹脂材から製作されてその内部に前記したＣＰＵ８０ａなどが内蔵されると共に、図１に示す如く、操作者Ｐに携行自在とされる。
【００３２】
ここで、電子キー８０と認証ＥＣＵ８４のリーダ／ライタ８４ｃとの通信動作の内、認証動作について詳説する。認証ＥＣＵ８４に発電コイル６６から動作電源が供給されている状態において、電子キー８０がリーダ／ライタ８４ｃに操作者Ｐによって近接されると（かざされると）、リーダ／ライタ８４ｃは電子キー８０に向けて電磁波を出力（発信）する。
【００３３】
リーダ／ライタ８４ｃから電磁波が出力されると、電子キー８０は、内蔵されたコイル（図示せず）の電磁誘導によって発電し、ＣＰＵ８０ａなどが起動させられる。即ち、電子キー８０は、内部に電池などの電源を備えず、リーダ／ライタ８４ｃからの電磁波による電磁誘導によって動作電源が供給される。
【００３４】
電子キー８０は、動作電源が供給されると、メモリ８０ｂに記憶された認証用のデータをＣＰＵ８０ａ、アンテナ８０ｃを介してリーダ／ライタ８４ｃに出力する。認証ＥＣＵ８４は、電子キー８０から認証用のデータが出力されるとき、メモリ８４ｂに予め記憶された照合用のデータを用いて電子キー８０が正規のキーか否かの認証を実行する。この照合用のデータは、前述した認証用のデータと同一のもの、即ち、ユーザＩＤや製品ＩＤである。
【００３５】
従って、認証ＥＣＵ８４における認証は、電子キー８０の認証用のデータと照合用のデータとを比較することで行われる。具体的には、認証用のデータと照合用のデータを比較して一致するか否か判断し、一致するときはリーダ／ライタ８４ｃにかざされた電子キー８０が芝刈り機１０に対して正規のキーであると判断する一方、一致しないとき（不一致のとき）は電子キー８０が正規の電子キーではないと判断する。
【００３６】
このように、電子キー８０は、認証ＥＣＵ８４のリーダ／ライタ８４ｃと接触させずにかざすだけで認証用のデータなどの入出力（通信）を行うことが可能な、非接触型（ワイヤレスタイプ）のＩＣカードである。
【００３７】
上記した如く、認証用のデータなどは非接触型のＩＣカードからなる電子キー８０とリーダ／ライタ８４ｃとで送受信されるため、電子キーと認証ＥＣＵを有線の通信手段で接続して送受信するときに生じる不具合、具体的には通信用ケーブルの断線によってデータを送受信することができないなどの不具合を回避することができる。
【００３８】
次いで上記の如く構成された芝刈り機（機器）の盗難防止装置７６の動作について説明する。
【００３９】
図５は、盗難防止装置７６の動作、具体的には盗難防止装置７６を構成する認証ＥＣＵ８４の動作を示すフロー・チャートである。尚、図示のプログラムは、エンジン１８が始動されたとき、１回だけ実行される。
【００４０】
操作者Ｐによってリコイルスタータ２０が操作される、正確には、図１に示す如く、操作者Ｐによって電子キー８０が認証ＥＣＵ８４のリーダ／ライタ８４ｃ付近にかざされつつリコイルスタータ２０が操作される（引かれる）と、エンジン１８が始動されると共に、発電コイル６６が発電を開始し、認証ＥＣＵ８４に動作電源が供給される。
【００４１】
認証ＥＣＵ８４に動作電源が供給されて起動させられると、先ずＳ１０において、認証ＥＣＵ８４を構成するマイクロコンピュータのイニシャルチェック（動作確認）のみ実行する。逆に言えば、制御ＥＣＵ８２を構成するマイクロコンピュータのイニシャルチェックは行わない。これにより、後に実行される認証の処理を早期に開始でき、認証ＥＣＵ８４における処理時間を短縮することができる。
【００４２】
次いでＳ１２に進み、リーダ／ライタ８４ｃから電子キー８０に向けて電磁波を出力して電子キー８０に動作電源を供給し、Ｓ１４に進み、電子キー８０から出力される認証用のデータと照合用のデータを用いて電子キー８０の認証を行う。このように、認証ＥＣＵ８４は、リコイルスタータ２０が操作者Ｐによって操作されて発電コイル６６から動作電源が供給されるとき、認証を実行する。
【００４３】
Ｓ１６に進み、Ｓ１４の処理においてリーダ／ライタ８４ｃにかざされた電子キー８０が芝刈り機１０に対して正規のキーであったか否か判断する。Ｓ１６で肯定されるときはＳ１８に進み、制御ＥＣＵ８２を構成するマイクロコンピュータのイニシャルチェック（動作確認）を実行させる信号を制御ＥＣＵ８２に出力し、Ｓ２０に進んでエンジン１８を通常運転させてプログラムを終了する。
【００４４】
他方、Ｓ１６で否定されるときはＳ２２に進み、報知ランプ８４ｄを点灯させて正規のキーと認証されなかった旨を操作者Ｐに報知する。次いでＳ２４に進み、点火カットなどを行ってエンジン１８の運転を停止させ、芝刈り機１０を盗難から防止する。
【００４５】
図６は、図５で示す処理を説明するためのタイム・チャートである。
【００４６】
図６に示すように、先ず時点ｔ１で操作者Ｐによってリコイルスタータ２０が操作されると、エンジン１８が始動されると共に、発電コイル６６から動作電源が出力（発電）される。時点ｔ２において、発電コイル６６からの動作電源が認証ＥＣＵ８４などに供給されると、認証ＥＣＵ８４が起動して図５に示すプログラムが開始される、即ち、認証ＥＣＵ８４を構成するマイクロコンピュータのイニシャルチェックが実行される（Ｓ１０）。
【００４７】
イニシャルチェックが終了すると（時点ｔ３）、電子キー８０の認証処理（Ｓ１２〜Ｓ１６）が実行（開始）される。そして、時点ｔ４において認証処理が終了し、そこで電子キー８０が正規のキーと認証された場合、制御ＥＣＵ８２を構成するマイクロコンピュータのイニシャルチェックが実行された後（Ｓ１８）、エンジン１８の通常運転が行われる（Ｓ２０）。具体的には、図６に実線で示す如く、動作電源が発電コイル６６からエンジン１８、認証ＥＣＵ８４や制御ＥＣＵ８２などに供給され続けると共に、エンジン１８の回転数Ｎｅは所定の回転数に維持される。
【００４８】
他方、時点ｔ４において電子キー８０が正規のキーでないと認証されると、点火カットなどを行ってエンジン１８の運転を停止させる（Ｓ２４）。具体的には、図６に想像線で示すように、エンジン１８は回転数Ｎｅが徐々に低下して停止すると共に、それに伴って発電コイル６６から認証ＥＣＵ８４や制御ＥＣＵ８２などへの動作電源の供給も中止される。これにより、認証ＥＣＵ８４や制御ＥＣＵ８２の動作は停止される。
【００４９】
尚、図５のＳ２４（図６の時点ｔ４）において、電子キー８０が正規のキーでないと認証されるときにエンジン１８の運転を停止させるように構成したが、それに代えて、エンジン１８の運転を停止させず、例えばエンジン１８の回転数Ｎｅの上限値を制限する、具体的にはエンジン１８の回転数をアイドリング回転数より僅かに大きい値（別言すれば、ブレード３２で芝刈り可能な回転数より小さい値）が上限となるように構成しても良い。これにより、芝刈り機１０のブレード３２を回転させて芝刈り作業を行うことはできないものの、芝刈り機１０を低速で移動させることは可能になるため、操作者Ｐが電子キー８０を紛失した場合にも対応することができる。
【００５０】
以上の如く、この発明の実施例にあっては、リコイルスタータ２０の操作に応じて動作電源を供給する発電手段（発電コイル）６６を備えた汎用の内燃機関（エンジン）１８が搭載された移動体または作業機からなる機器（芝刈り機）１０の盗難防止装置７６において、操作者Ｐに携行自在な、認証用のデータを記憶する電子キー８０と、前記機器に設けられ、前記電子キーから前記認証用のデータが出力されるとき、予め記憶された照合用のデータを用いて前記電子キーが正規のキーか否か認証する認証手段（認証ＥＣＵ８４。Ｓ１４，Ｓ１６）とを備えると共に、前記認証手段は、前記リコイルスタータ２０が前記操作者Ｐによって操作されて前記発電手段６６から前記動作電源が供給されるとき、前記認証を実行する如く構成した。
【００５１】
このように、認証ＥＣＵ８４は、バッテリからの動作電源ではなく、リコイルスタータ２０の操作によって発電コイル６６で生じた動作電源が供給されて電子キー８０が正規のキーか否かの認証を実行するように構成したので、バッテリレスの芝刈り機（機器）１０であっても、認証ＥＣＵ（認証手段）８４を動作させることができ（取り付けることができ）、よって芝刈り機１０を盗難から防止することができる。
【００５２】
また、前記認証手段（認証ＥＣＵ）８４は、前記電子キー８０が正規のキーと認証されないとき、前記内燃機関（エンジン）１８の運転を停止させる（Ｓ１６，Ｓ２４）如く構成、即ち、エンジン１８はリコイルスタータ２０の操作によって一旦始動されるものの、電子キー８０が正規のキーと認証されないときは直ちに停止されるように構成したので、芝刈り機１０の盗難を確実に防止することができる。
【００５３】
また、前記発電手段（発電コイル）６６は、前記リコイルスタータ２０が操作されるとき、前記動作電源として、前記内燃機関（エンジン）１８の始動に必要な電力と前記認証手段（認証ＥＣＵ）８４の動作に必要な電力を出力する如く構成した。これにより、エンジン１８の始動と認証ＥＣＵ（認証手段）８４の動作に必要な電力（動作電源）を確保でき、認証ＥＣＵ８４を確実に動作させることができる。
【００５４】
また、前記認証手段（認証ＥＣＵ）８４はマイクロコンピュータを備えた電子制御ユニットからなると共に、前記電子制御ユニットは、前記動作電源を供給されるとき、前記マイクロコンピュータのイニシャルチェックのみ実行して前記認証を実行する（Ｓ１０）如く構成、逆に言えば、認証に必要のないマイクロコンピュータ（具体的には、制御ＥＣＵ８２を構成するマイクロコンピュータ）のイニシャルチェックは認証前に行わないようにしたので、認証ＥＣＵ８４を構成するマイクロコンピュータにおける処理時間を短縮でき、よって限られた動作電源供給時間内で認証を実行することができる。
【００５５】
尚、上記において、盗難防止装置７６を備える機器として作業機である芝刈り機１０を例に挙げて説明したが、それに限られるものではなく、要はリコイルスタータの操作に応じて動作電源を供給する発電手段（発電コイル）を備えたバッテリレスの機器であれは良く、例えば耕運機、発電機、除雪機、運搬機などの作業機であっても良く、さらには四輪自動車や二輪自動車、小型電動車などの移動体であっても良い。その意味から、請求項１において「移動体または作業機からなる機器の盗難防止装置」と記載した。
【００５６】
また、電子キー８０と認証ＥＣＵ８４のリーダ／ライタ８４ｃにおいて近距離無線通信を用いてデータの送受信を行うように構成したが、それに限られるものではなく、他の無線通信手段や有線の通信手段を介してデータの送受信を行うように構成しても良い。
【００５７】
また、エンジン１８の排気量などを具体的な値で示したが、それらは例示であって限定されるものではない。
【図面の簡単な説明】
【００５８】
【図１】この発明の実施例に係る作業機の盗難防止装置を全体的に示す全体図であり、芝刈り機に搭載された状態における芝刈り機の側面図である。
【図２】図１に示す芝刈り機の平面図である。
【図３】図１に示す内燃機関（エンジン）を拡大して示す拡大断面図である。
【図４】図１に示す芝刈り機の盗難防止装置の構成を示すブロック図である。
【図５】図１に示す芝刈り機の盗難防止装置の動作、具体的には盗難防止装置を構成する認証ＥＣＵの動作を示すフロー・チャートである。
【図６】図５で示す処理を説明するためのタイム・チャートである。
【符号の説明】
【００５９】
１０  芝刈り機（機器。作業機）、１８  エンジン（内燃機関）、２０  リコイルスタータ、６６  発電コイル（発電手段）、７６  盗難防止装置、８０  電子キー、８４  認証ＥＣＵ（認証手段）、Ｐ  操作者
【図１】
2010017129.tif 000003
【図２】
2010017129.tif 000004
【図３】
2010017129.tif 000005
【図４】
2010017129.tif 000006
【図５】
2010017129.tif 000007
【図６】
2010017129.tif 000008